(57)【要約】【課題】複数の入力信号からいずれか一つを切り替えて出力する信号切替装置において、信号切替に要する時間を短縮する。【解決手段】信号切替装置は、カウンタ回路２１ａ、２１ｂ、判定部２２、選択部３、６及び切替部４、５を備えている。カウンタ回路２１ａ、２１ｂは、対応する入力信号及び基準信号の一方に同期して他方をラッチし、そのラッチした信号のパルス数をカウントする。判定部２２は、カウンタ回路２１ａ、２１ｂの出力を受け、カウント値が２の整数ベキ倍か否かを判定する。切替部４は、選択部３で選択された信号のうち第１の切替信号に応じた信号を出力する。切替部５は、複数の入力信号のうち第２の切替信号に応じた信号を出力する。選択部６は、切替部４、５の出力のうち切替信号に応じた信号を出力する。【選択図】図１
2007251659.tif 000002
【特許請求の範囲】
【請求項１】
複数の入力信号のうちいずれか一つを切り替えて出力する信号切替装置であって、
前記複数の入力信号のそれぞれに対応して設けられ、基準信号及び当該対応する入力信号を受け、これら信号の一方に同期して他方をラッチして、前記一方の信号のパルス数が２の整数ベキ倍となる期間における、前記ラッチした信号のパルス数をカウントして、そのカウント値を出力する複数のカウンタ回路と、
前記複数のカウンタ回路のそれぞれから出力されたカウント値を受け、当該カウント値が２の整数ベキ倍であるか否かを判定する判定部と、
前記判定部の判定結果を受け、前記複数の入力信号の中から、対応する前記カウンタ回路から出力されたカウント値が２の整数ベキ倍であると判定されたものを選択的に出力する第１の選択部と、
前記第１の選択部から出力された信号を受け、これら信号のうちいずれか一つを切り替えて出力する第１の切替部と、
前記複数の入力信号を受け、これら信号のうちいずれか一つを切り替えて出力する第２の切替部と、
前記第１及び第２の切替部から出力された信号を受け、これら信号のうちいずれか一つを選択的に出力する第２の選択部とを備えた
ことを特徴とする信号切替装置。
【請求項２】
請求項１に記載の信号切替装置において、
前記基準信号の周波数は、前記複数の入力信号のいずれの周波数よりも低く、
前記複数のカウンタ回路のそれぞれは、対応する入力信号に同期して、前記基準信号をラッチする
ことを特徴とする信号切替装置。
【請求項３】
請求項１に記載の信号切替装置において、
前記基準信号の周波数は、前記複数の入力信号のいずれの周波数よりも高く、
前記複数のカウンタ回路のそれぞれは、前記基準信号に同期して、対応する入力信号をラッチする
ことを特徴とする信号切替装置。
【請求項４】
複数の入力信号のそれぞれに対応して設けられ、基準信号及び当該対応する入力信号を受け、これら信号の一方に同期して他方をラッチして、前記一方の信号のパルス数が２の整数ベキ倍となる期間における、前記ラッチした信号のパルス数をカウントして、そのカウント値を出力する複数のカウンタ回路と、
前記複数のカウンタ回路のそれぞれから出力されたカウント値を受け、当該カウント値が２の整数ベキ倍であるか否かを判定する判定部とを備えた
ことを特徴とする信号判定装置。
【請求項５】
請求項４に記載の信号判定装置において、
前記基準信号の周波数は、前記複数の入力信号のいずれの周波数よりも低く、
前記複数のカウンタ回路のそれぞれは、対応する入力信号に同期して、前記基準信号をラッチする
ことを特徴とする信号判定装置。
【請求項６】
請求項４に記載の信号判定装置において、
前記基準信号の周波数は、前記複数の入力信号のいずれの周波数よりも高く、
前記複数のカウンタ回路のそれぞれは、前記基準信号に同期して、対応する入力信号をラッチする
ことを特徴とする信号判定装置。
【発明の詳細な説明】
【技術分野】
【０００１】
本発明は、信号切替装置に関し、特に複数の入力信号のうちいずれか１つを切り替えて出力する回路技術に属する。
【背景技術】
【０００２】
複数の入力信号のうちいずれか一つを切り替えて出力する信号切替装置において、出力信号切り替え時にグリッチノイズが発生することは好ましくない。そこで、従来、全ての入力信号が“Ｌ”のときにクロック信号で切替信号をラッチして、切替信号に応じて信号切り替えを行うことにより、信号切り替え時のグリッチノイズの発生を抑止している（例えば、特許文献１参照）。また、切替信号の変化時に、切替信号に応じて切り替えられた信号の出力を所定期間停止させることにより、信号切り替え時のグリッチノイズの発生を抑止している（例えば、特許文献２参照）。
【特許文献１】特開平３−１９１６１１号公報
【特許文献２】特開２００４−３６３９６６号公報
【発明の開示】
【発明が解決しようとする課題】
【０００３】
前者によると、入力信号が多い場合や入力信号の組み合わせによっては、全ての入力信号が“Ｌ”となるタイミングが存在しない場合がある。この場合、切替信号がラッチされず、信号切り替えが不能となる。また、クロック信号と切替信号とは非同期となっているため、切替信号が多ビット信号である場合には、過渡状態の切替信号で入力信号が選択される可能性がある。
【０００４】
後者によると、切替信号がクロック信号に同期するため、過渡状態の切替信号で信号切り替えが行われることはなくなるが、信号出力が所定期間停止することにより、信号切り替えに１〜２クロック分の時間を要する。
【０００５】
上記問題に鑑み、本発明は、信号切替装置について、信号切り替え時のグリッチノイズを抑制しつつ、より俊敏な信号切り替えを可能にすることを課題とする。
【課題を解決するための手段】
【０００６】
上記課題を解決するために本発明が講じた手段は、複数の入力信号のうちいずれか一つを切り替えて出力する信号切替装置として、前記複数の入力信号のそれぞれに対応して設けられ、基準信号及び当該対応する入力信号を受け、これら信号の一方に同期して他方をラッチして、前記一方の信号のパルス数が２の整数ベキ倍となる期間における、前記ラッチした信号のパルス数をカウントして、そのカウント値を出力する複数のカウンタ回路と、前記複数のカウンタ回路のそれぞれから出力されたカウント値を受け、当該カウンタ値が２の整数ベキ倍であるか否かを判定する判定部と、前記判定部の判定結果を受け、前記複数の入力信号の中から、対応する前記カウンタ回路から出力されたカウント値が２の整数ベキ倍であると判定されたものを選択的に出力する第１の選択部と、前記第１の選択部から出力された信号を受け、これら信号のうちいずれか一つを切り替えて出力する第１の切替部と、前記複数の入力信号を受け、これら信号のうちいずれか一つを切り替えて出力する第２の切替部と、前記第１及び第２の切替部から出力された信号を受け、これら信号のうちいずれか一つを選択的に出力する第２の選択部とを備えたものとする。
【０００７】
これによると、各カウンタ回路に入力された基準信号及び対応する入力信号の一方に同期して他方がラッチされ、一方の信号のパルス数が２の整数ベキ倍となる期間における、ラッチされた信号のパルス数のカウント値が、判定部によって２の整数ベキ倍であるか否かが判定され、２の整数ベキ倍であると判定されたカウント値に対応する入力信号が第１の選択部によって第１の切替部に出力され、第１の切替部によって信号が切り替えて出力され、また、第２の切替部によって複数の入力信号が切り替えて出力され、第２の選択部によって、第１及び第２の切替部から出力された信号のうちいずれか一つが選択的に出力される。カウンタ回路から出力されたパルス数のカウント値が２の整数ベキ倍であるということは、そのカウンタ回路に入力された基準信号と複数の入力信号のいずれか一つとが分周関係、すなわち、２の整数ベキ倍の周波数関係にあることを意味する。したがって、第１の選択部からは、複数の入力信号の中から２の整数ベキ倍の周波数関係にある信号群が出力され、第１の切替部において、当該関係にある信号の切り替えに適した処理を適宜行うことが可能となる。
【０００８】
具体的には、前記基準信号の周波数は、前記複数の入力信号のいずれの周波数よりも低く、前記複数のカウンタ回路のそれぞれは、対応する入力信号に同期して、前記基準信号をラッチするものとする。
【０００９】
また、具体的には、前記基準信号の周波数は、前記複数の入力信号のいずれの周波数よりも高く、前記複数のカウンタ回路のそれぞれは、前記基準信号に同期して、対応する入力信号をラッチするものとする。
【００１０】
一方、上記課題を解決するために本発明が講じた手段は、信号判定装置として、複数の入力信号のそれぞれに対応して設けられ、基準信号及び当該対応する入力信号を受け、これら信号の一方に同期して他方をラッチして、前記一方の信号のパルス数が２の整数ベキ倍となる期間における、前記ラッチした信号のパルス数をカウントして、そのカウント値を出力する複数のカウンタ回路と、前記複数のカウンタ回路のそれぞれから出力されたカウント値を受け、当該カウンタ値が２の整数ベキ倍であるか否かを判定する判定部とを備えたものとする。
【００１１】
これによると、各カウンタ回路に入力された基準信号及び対応する入力信号の一方に同期して他方がラッチされ、一方の信号のパルス数が２の整数ベキ倍となる期間における、ラッチされた信号のパルス数のカウント値が、２の整数ベキ倍であるか否かが、判定部によって判定される。カウンタ回路から出力されたパルス数のカウント値が２の整数ベキ倍である場合、そのカウンタ回路に入力された基準信号と複数の入力信号のいずれか一つとが分周関係、すなわち、２の整数ベキ倍の周波数関係にあるということができる。したがって、複数の入力信号の中から２の整数ベキ倍の周波数関係にある信号群を検出することが可能となる。
【００１２】
具体的には、前記基準信号の周波数は、前記複数の入力信号のいずれの周波数よりも低く、前記複数のカウンタ回路のそれぞれは、対応する入力信号に同期して、前記基準信号をラッチするものとする。
【００１３】
また、具体的には、前記基準信号の周波数は、前記複数の入力信号のいずれの周波数よりも高く、前記複数のカウンタ回路のそれぞれは、前記基準信号に同期して、対応する入力信号をラッチするものとする。
【発明の効果】
【００１４】
以上、本発明によると、グリッチノイズの発生を抑制しながらも、複数の入力信号のうち特に２の整数ベキ倍の周波数関係にある信号群については、それに適した切替処理を行うことにより、信号切り替えに要する時間を短くすることが可能となる。
【発明を実施するための最良の形態】
【００１５】
以下、本発明を実施するための最良の形態について、図面を参照しながら説明する。
【００１６】
図１は、本発明に係る信号切替装置の構成の一例を示す。本信号切替装置１は、カウンタ回路２１ａ及び２１ｂと、判定部２２と、選択部３と、切替部４及び５と、選択部６とを備えている。説明の便宜のため、入力信号は信号ＩＳ１及びＩＳ２の二つとする。
【００１７】
カウンタ回路２１ａ及び２１ｂは、それぞれ、入力信号ＩＳ１及びＩＳ２に対応して設けられ、基準信号ＲＳに同期して、入力信号ＩＳ１及びＩＳ２をラッチする。そして、基準信号ＲＳのパルス数が２の整数ベキ倍となる期間における、ラッチした信号のパルス数をカウントして、そのカウント値ＣＶ１及びＣＶ２をそれぞれ出力する。ここで、基準信号ＲＳの周波数は、入力信号ＩＳ１及びＩＳ２のいずれの周波数よりも高いものとする。例えば、基準信号の周波数をｆ0、入力信号ＩＳ１、ＩＳ２の周波数をそれぞれｆ0／２、ｆ0／３とする。このとき、基準信号ＲＳのパルス数が“２4”となる期間における、ラッチされた信号のパルス数のカウント値ＣＶ１，ＣＶ２は、それぞれ“８”、“６”となる。
【００１８】
判定部２２は、カウンタ回路２１ａ及び２１ｂのそれぞれから出力されたカウント値ＣＶ１及びＣＶ２を受け、判定結果を示す信号ＤＳを出力する。具体的には、判定部２２は、カウント値ＣＶ１及びＣＶ２が、２の整数ベキ倍であるか否かを判定する。前述の例によると、カウンタ値ＣＶ１、ＣＶ２はそれぞれ“８＝２3”、“６”であるので、カウンタ値ＣＶ１について２の整数ベキ倍であると判定する。
【００１９】
選択部３は、判定信号ＤＳを受け、入力信号ＩＳ１及びＩＳ２の中から、対応するカウンタ回路２１ａまたは２１ｂから出力されたカウンタ値ＣＶ１またはＣＶ２が２の整数ベキ倍であると判定されたものを選択して、信号群ＥＳとして出力する。例えば、カウンタ値ＣＶ１が２の整数ベキ倍であるということは、基準信号ＲＳと入力信号ＩＳ１とが分周関係、すなわち、２の整数ベキ倍の周波数関係にあることを意味する。したがって、信号群ＥＳは、２の整数ベキ倍の周波数関係にある信号群である。
【００２０】
切替部４は、信号群ＥＳのうち切替信号ＣＳ１によって指定された信号を選択して、これを信号ＳＳ１として出力する。切替部４の構成は、２の整数ベキ倍の周波数関係にある信号群の切替処理を行うのに適したものであればよく、例えば、特開平３−１９１６１１号公報に開示された構成（図２参照）とすればよい。切替部４に入力される信号群ＥＳは、２の整数ベキ倍の周波数関係にあるため、全ての信号の論理レベルが“Ｌ”となるタイミングが必ず存在する。したがって、切替部４を図２に示した構成とすることにより、信号切り替え時のグリッチノイズを抑制しつつ、信号の切替遅延も発生しない。
【００２１】
切替部５は、入力信号ＩＳ１及びＩＳ２のうち切替信号ＣＳ２によって指定された信号を選択して、これを信号ＳＳ２として出力する。すなわち、切替部５には、全ての入力信号が入力される。切替部５の構成は、複数の入力信号の切替処理が可能なものであればよく、例えば、特開２００４−３６３９６６号公報に開示された構成（図３参照）とすればよい。切替部５を図３に示した構成とすることにより、信号切り替え時に信号出力が所定期間停止するため、信号切り替え時のグリッチノイズが抑制される。なお、図２及び図３は、切替部４及び５の構成の一例であり、これらの構成に限定されるものではない。
【００２２】
選択部６は、切替部４及び５のそれぞれから出力された信号ＳＳ１及びＳＳ２のうち、切替信号ＣＳ３によって指定された信号を選択して、これを信号ＯＳとして出力する。
【００２３】
以上のように、本実施形態によると、信号切り替え時のグリッチノイズを抑制しながらも、複数の入力信号のうち２の整数ベキ倍の周波数関係にある信号群については、より短い切替時間で信号切り替えを行うことができる。
【００２４】
なお、基準信号ＲＳの周波数が、入力信号ＩＳ１及びＩＳ２のいずれの周波数よりも低い場合、図４に示すように、カウンタ回路２１ａ及び２１ｂは入力信号ＩＳ１及びＩＳ２のそれぞれに同期して基準信号ＲＳをラッチする構成とすればよい。
【００２５】
また、入力信号の数は２以上であってもよく、この場合、入力信号に応じた数のカウンタ回路を備えるようにすればよい。
【００２６】
また、信号切替装置１の各構成要素は、必ずしも同一チップ上に実装されている必要はない。例えば、図１または図４において、カウンタ回路２１ａ及び２１ｂ、及び判定部２２からなる信号判定装置２を別のチップに実装してもよい。
【産業上の利用可能性】
【００２７】
本発明に係る信号切替装置は、信号切り替え時のグリッチノイズを抑制しつつ、２の整数ベキ倍の周波数関係にある信号群の信号切替時間を短縮できるため、特に入力信号の多い入力信号切替装置として有用である。
【図面の簡単な説明】
【００２８】
【図１】本発明に係る信号切替装置の構成の一例を示す図である。
【図２】図１に示した信号切替装置における切替部の構成例を示す図である。
【図３】図１に示した信号切替装置における切替部の構成例を示す図である。
【図４】本発明に係る信号切替装置の構成の別例を示す図である。
【符号の説明】
【００２９】
１  信号切替装置
２  信号判定装置
３  選択部（第１の選択部）
４  切替部（第１の切替部）
５  切替部（第２の切替部）
６  選択部（第２の選択部）
２１ａ、２１ｂ  カウンタ回路
２２  判定部
【図１】
2007251659.tif 000003
【図２】
2007251659.tif 000004
【図３】
2007251659.tif 000005
【図４】
2007251659.tif 000006